(57)【要約】【課題】ラテックス凝集比濁法により被験試料中のＣＲＰを低濃度域から高濃度域まで安定して測定できる測定試薬、測定キットおよび測定方法を提供する。【解決手段】ラテックス凝集比濁法によるＣ−反応性タンパク質測定用の測定試薬であって、Ｃ−反応性タンパク質と特異的に反応する基を表面に有する粒子を含有し、前記粒子の粒径ｘ（ｎｍ）を横軸、質量換算の頻度ｙ（％）を縦軸とした粒度分布曲線が、ｘ＜２００の領域に少なくとも１つのピーク、２００≦ｘの領域に少なくとも１つのピークを有し、当該測定試薬に含まれる前記粒子の粒径ｘ（ｎｍ）を横軸、質量換算の頻度ｙ（％）を縦軸にとった粒度分布曲線が、前記粒度分布曲線にて、座標Ｐ１（ｘ１、ｙ１）、Ｖ１（ｘ３、ｙｍｉｎ）、Ｖ２（ｘ４、ｙｍｉｎ）、Ｐ２（ｘ２、ｙ２）、前記Ｐ１を順次結ぶ直線で囲まれた領域の面積が３００以上である、測定試薬。【選択図】図１
2014081205.tif 000002
【特許請求の範囲】
【請求項１】
ラテックス凝集比濁法によるＣ−反応性タンパク質測定用の測定試薬であって、
Ｃ−反応性タンパク質と特異的に反応する基を表面に有する粒子を含有し、
前記粒子の粒径ｘ（ｎｍ）を横軸、質量換算の頻度ｙ（％）を縦軸とした粒度分布曲線が、ｘ＜２００の領域に少なくとも１つのピーク、２００≦ｘの領域に少なくとも１つのピークを有し、
前記粒度分布曲線にて、座標Ｐ１（ｘ１、ｙ１）、Ｖ１（ｘ３、ｙｍｉｎ）、Ｖ２（ｘ４、ｙｍｉｎ）、Ｐ２（ｘ２、ｙ２）、前記Ｐ１を順次結ぶ直線で囲まれた領域の面積が３００以上である、測定試薬。
ただし、ｘ１およびｙ１はそれぞれ、ｘ＜２００の領域に有るピークのうち、粒径が最も大きいピークの粒径および頻度を示す。
ｘ２およびｙ２はそれぞれ、２００≦ｘの領域に有るピークのうち、粒径が最も小さいピークの粒径および頻度を示す。
ｙｍｉｎは、ｘ１＜ｘ＜ｘ２の領域内でのｙの最小値を示す。
ｘ３は、ｘ１＜ｘ＜ｘ２の領域内で、ｙ＝ｙｍｉｎであるｘの最小値を示す。
ｘ４は、ｘ１＜ｘ＜ｘ２の領域内で、ｙ＝ｙｍｉｎであるｘの最大値を示す。
【請求項２】
前記Ｃ−反応性タンパク質と特異的に反応する基が、ホスホリルコリン基である、請求項１に記載の測定試薬。
【請求項３】
分子構造内に、置換基が結合していてもよいステロイド骨格の炭化水素基と、下記一般式（２）で表される基とを有する界面活性剤をさらに含む、請求項２に記載の測定試薬。
【化１】
2014081205.tif 000018
［式中、Ｘは、水酸基が結合していてもよい炭素数３〜５の直鎖アルキレン基を示す。］
【請求項４】
前記粒子が分散した粒子分散液である第一液と、前記界面活性剤を含む第二液とを備えるキットである、請求項３に記載の測定試薬。
【請求項５】
請求項１〜４のいずれか一項に記載の測定試薬を用いて、ラテックス凝集比濁法により、被験試料中のＣ−反応性タンパク質濃度を測定する測定方法。
【請求項６】
被験試料と、請求項３または４に記載の測定試薬とを混合して反応液を調製し、該反応液の吸光度を測定する工程を含み、
前記反応液中の前記界面活性剤の濃度が０．１５〜０．４０質量％である、請求項５に記載の測定方法。
【発明の詳細な説明】
【技術分野】
【０００１】
本発明は、Ｃ−反応性タンパク質測定用の測定試薬および測定方法に関する。
【背景技術】
【０００２】
臨床検査の分野では、生体試料（血液、尿など）を用いて種々の疾患の診断を行っている。該診断における判定基準の一つとして、Ｃ−反応性タンパク質（以下「ＣＲＰ」ともいう。）がある。ＣＲＰは、正常な状態ではほとんど血中に含まれないが、炎症や組織の破壊が起こると急速に増加することが知られている。
ＣＲＰの測定方法としては、抗原抗体反応を利用した免疫測定法が一般的で、特にラテックス凝集比濁法が汎用されている。ラテックス凝集比濁法では、ＣＲＰに特異的に反応する抗体またはそのフラグメントを担持させたラテックス粒子が分散したラテックスが測定試薬として用いられる。この測定試薬に被験試料を加え、ＣＲＰと抗体またはそのフラグメントとの反応によるラテックス粒子の凝集の程度を光学的に測定することにより、測定対象物質であるＣＲＰを検出、定量する。
ラテックス凝集比濁法で、被験試料中のＣＲＰを測定する場合に使用する抗体としては、通常、ポリクローナル抗体又はモノクローナル抗体が用いられている。また、ラテックス粒子としては、安価で、大量同品質に入手できるポリマー粒子（例えばポリスチレン、又はスチレンとスチレンスルホン酸、アクリル酸、アクリル酸エステル、メタクリル酸エステル、アクリロニトリル等との共重合体等からなる粒子）が使用されている。
【０００３】
被験試料中のＣＲＰ濃度は疾患の状態によりまちまちであることから、ＣＲＰの測定においては、幅広い測定濃度を測定できることが求められる。
しかし、ラテックス凝集比濁法では、含まれるラテックス粒子の粒径が単一である場合、幅広い測定範囲をカバーすることは難しい。そこで、粒径の異なるラテックス粒子を併用したり、遊離状態のモノクローナル抗体またはその断片を含有させることが提案されている（たとえば特許文献１）。
しかし、単純に大小の粒子を併用しただけでは、必ずしも、被験試料中のＣＲＰを低濃度域から高濃度域まで安定して測定することはできない。たとえば、ＣＲＰの低濃度域において小粒径粒子が先に凝集してしまい、凝集粒子の成長を進めるために必要な大粒径の粒子がＣＲＰの低濃度域で凝集しない問題等が有る。
【０００４】
一方、正常範囲の血清中ＣＲＰが測定で、迅速で感度が高いＣＲＰの測定方法として、蛍光物質等で標識したホスホリルコリンを使用する方法が提案されている（特許文献２）。該方法では、ホスホリルコリンとＣＲＰとの特異的結合性を利用して、サンドイッチ型測定法による測定が行われる。しかしこの方法は、標識したホスホリルコリンを使用するため、ラテックス凝集比濁法に比べて試薬が高価になる。
【先行技術文献】
【特許文献】
【０００５】
【特許文献１】特開２００４−１９１３３２号公報
【特許文献２】特開２０００−２４９７０３号公報
【発明の概要】
【発明が解決しようとする課題】
【０００６】
本発明は、上記事情に鑑みてなされたものであって、ラテックス凝集比濁法により被験試料中のＣＲＰを低濃度域から高濃度域まで安定して測定できる測定試薬および測定方法を提供することを目的とする。
【課題を解決するための手段】
【０００７】
上記の目的を達成するために、本発明は以下の構成を採用した。
［１］ラテックス凝集比濁法によるＣ−反応性タンパク質測定用の測定試薬であって、
Ｃ−反応性タンパク質と特異的に反応する基を表面に有する粒子を含有し、
前記粒子の粒径ｘ（ｎｍ）を横軸、質量換算の頻度ｙ（％）を縦軸とした粒度分布曲線が、ｘ＜２００の領域に少なくとも１つのピーク、２００≦ｘの領域に少なくとも１つのピークを有し、
前記粒度分布曲線にて、座標Ｐ１（ｘ１、ｙ１）、Ｖ１（ｘ３、ｙｍｉｎ）、Ｖ２（ｘ４、ｙｍｉｎ）、Ｐ２（ｘ２、ｙ２）、前記Ｐ１を順次結ぶ直線で囲まれた領域の面積が３００以上である、測定試薬。
ただし、ｘ１およびｙ１はそれぞれ、ｘ＜２００の領域に有るピークのうち、粒径が最も大きいピークの粒径および頻度を示す。
ｘ２およびｙ２はそれぞれ、２００≦ｘの領域に有るピークのうち、粒径が最も小さいピークの粒径および頻度を示す。
ｙｍｉｎは、ｘ１＜ｘ＜ｘ２の領域内でのｙの最小値を示す。
ｘ３は、ｘ１＜ｘ＜ｘ２の領域内で、ｙ＝ｙｍｉｎであるｘの最小値を示す。
ｘ４は、ｘ１＜ｘ＜ｘ２の領域内で、ｙ＝ｙｍｉｎであるｘの最大値を示す。
【０００８】
［２］前記Ｃ−反応性タンパク質と特異的に反応する基が、ホスホリルコリン基である、［１］に記載の測定試薬。
［３］分子構造内に、置換基が結合していてもよいステロイド骨格の炭化水素基と、下記一般式（２）で表される基とを有する界面活性剤をさらに含む、［２］に記載の測定試薬。
【０００９】
【化１】
2014081205.tif 000003
［式中、Ｘは、水酸基が結合していてもよい炭素数３〜５の直鎖アルキレン基を示す。］
【００１０】
［４］前記粒子が分散した粒子分散液である第一液と、前記界面活性剤を含む第二液とを備えるキットである、［３］に記載の測定試薬。
［５］［１］〜［４］のいずれか一項に記載の測定試薬を用いて、ラテックス凝集比濁法により、被験試料中のＣＲＰ濃度を測定する測定方法。
［６］被験試料と、請求項３または４に記載の測定試薬とを混合して反応液を調製し、該反応液の吸光度を測定する工程を含み、
前記反応液中の前記界面活性剤の濃度が０．１５〜０．４０質量％である、請求項５に記載の測定方法。
【発明の効果】
【００１１】
本発明によれば、ラテックス凝集比濁法により被験試料中のＣＲＰを低濃度域から高濃度域まで安定して測定できる測定試薬および測定方法を提供できる。
【図面の簡単な説明】
【００１２】
【図１】本発明の測定試薬に含まれる粒子の粒径ｘ（ｎｍ）を横軸、質量換算の頻度ｙ（％）を縦軸とした粒度分布曲線における座標Ｐ１、Ｖ１、Ｖ２、Ｐ２、およびそれらの座標を順次結ぶ直線で囲まれた領域の面積について説明するグラフである。
【図２】［実施例］で製造したＲＡ１〜ＲＡ１５の粒度分布曲線である。
【図３】［実施例］の例１〜２７の吸光度変化量Ａｂｓの測定結果を縦軸、被験試料のＣＲＰ濃度（ｍｇ／ｄＬ）を横軸としたグラフ（ＣＲＰ濃度が０〜３０ｍｇ／ｄＬ）である。
【図４】［実施例］の例１〜２７の吸光度変化量Ａｂｓの測定結果を縦軸、被験試料のＣＲＰ濃度（ｍｇ／ｄＬ）を横軸としたグラフ（ＣＲＰ濃度が０〜０．９４ｍｇ／ｄＬ）である。
【発明を実施するための形態】
【００１３】
＜測定試薬＞
本発明の測定試薬は、ラテックス凝集比濁法によるＣＲＰ測定用の測定試薬であって、
ＣＲＰと特異的に反応する基（以下、ＣＲＰ反応性基ともいう。）を表面に有する粒子（以下、ラテックス粒子ともいう。）を含む。
ラテックス粒子としては、公知のもの、たとえば抗ＣＲＰ抗体やそのフラグメントを担体粒子表面に担持させた粒子を用いることができる。
しかし、抗ＣＲＰ抗体は生体由来であり、抗ＣＲＰ抗体やそのフラグメントを表面に担持させた粒子は高価になる。
そこで、本発明者らは、ＣＲＰ反応性基としてホスホリルコリン基を表面に有する粒子を用いることに想到した。該粒子は、後述するように、分子内にホスホリルコリン基を有する単量体を用いて安価に製造することができる。そのため、ホスホリルコリン基を表面に有する粒子をラテックス粒子として用いることで、安価な測定試薬を実現できる。
ホスホリルコリン基は、下記化学式（１）で表される基であり、ＣＲＰと特異的に反応する。
【００１４】
【化２】
2014081205.tif 000004
【００１５】
ホスホリルコリン基を表面に有する粒子の製造方法は特に限定されないが、たとえば、分子内にホスホリルコリン基を有する単量体を単独で、または該単量体と共重合可能な他の単量体と共に、懸濁重合または乳化重合することによって該粒子を得ることができる。
分子内にホスホリルコリン基を有する単量体としては、たとえば、分子内にホスホリルコリン基と重合性二重結合とを有する化合物（たとえば２−（メタ）アクリロイルオキシホスホリルコリン等）が挙げられる。
前記他の単量体としては、たとえば分子内に重合性二重結合を有し、ホスホリルコリン基を有しない任意の単量体を用いることができ、その種類に特に制限はない。具体例としては、たとえばスチレン、塩化ビニル、アクリロニトリル、酢酸ビニル、アクリル酸エステル、メタクリル酸エステル等のビニル系単量体が挙げられる。中でも、表面に存在するホスホリルコリン基の反応性を阻害しにくい点で、スチレン、ビニルトルエン、メタアクリル酸メチルから選ばれる少なくとも１種が好ましい。
ホスホリルコリン基を有する単量体と他の単量体とを共重合させる場合、ホスホリルコリン基を有する単量体の比率は、他の単量体１００質量部に対して１．５〜７．５質量部の範囲にあることが好ましい。１．５質量部以上であれば、ＣＲＰに対する充分な反応性を確保できる。７．５質量部以内であれば、ホスホリルコリン基同士の立体障害等によって反応性が阻害されることが無い。
【００１６】
本発明の測定試薬においては、当該測定試薬に含まれる前記ラテックス粒子の粒径ｘ（ｎｍ）を横軸、質量換算の頻度ｙ（％）を縦軸とした粒度分布曲線が、ｘ＜２００の領域に少なくとも１つのピーク、２００≦ｘの領域に少なくとも１つのピークを有する。
前記粒度分布曲線は、当該ラテックス粒子を水等の分散媒に分散させた粒子分散液を動的光散乱法（ＤＬＳ：Dynamic Light Scattering）により分析することで求められる。通常、サブミクロン以下の粒子は分散媒中でブラウン運動をしており、レーザー光を照射すると散乱光強度が時間的に変化する（ゆらぐ）。この散乱光強度のゆらぎを、例えば、光子相関法（ＪＩＳ  Ｚ８８２６）を用いて自己相関関数を求め、キュムラント（Cumulant）法解析により、ブラウン運動速度を示す拡散係数を算出し、さらにアインシュタイン・ストークスの式を用い、平均粒径を求めることができる。また、該散乱光強度のゆらぎを、例えばキュムラント法による多分散性指数（ＰＩ：Polydispersity Index）を用いて解析することで、粒径分布を求めることができる。
【００１７】
前記粒度分布曲線が、ｘ＜２００の領域に少なくとも１つのピークを有することにより、高濃度域でのＣＲＰの検出を安定に行うことができる。
前記粒度分布曲線において、ｘ＜２００の領域に存在するピークの数は、１または２が好ましく、１がより好ましい。
ｘ＜２００の領域に存在するピークの粒径は、１００ｎｍ以上２００ｎｍ未満の範囲内であることが好ましい。
なお、ピークの粒径とは、当該ピークのピークトップに対応する粒径（頻度が最大となる粒径）を示す。
【００１８】
前記粒度分布曲線が、２００≦ｘの領域に少なくとも１つのピークを有することにより、低濃度域でのＣＲＰの検出を安定に行うことができる。
前記粒度分布曲線において、２００≦ｘの領域に存在するピークの数は、１または２が好ましく、１がより好ましい。
２００≦ｘの領域に存在するピークの粒径は、２００ｎｍ以上３５０ｎｍ以下の範囲内であることが好ましい。
【００１９】
本発明においては、前記粒度分布曲線にて、座標Ｐ１（ｘ１、ｙ１）、Ｖ１（ｘ３、ｙｍｉｎ）、Ｖ２（ｘ４、ｙｍｉｎ）、Ｐ２（ｘ２、ｙ２）、前記Ｐ１を順次結ぶ直線で囲まれた領域の面積が３００以上であり、５００〜２０００が好ましく、１０００〜２０００がより好ましい。
ｘ１およびｙ１はそれぞれ、ｘ＜２００の領域に有るピークのうち、粒径が最も大きいピーク（以下、ピーク１ともいう。）の粒径および頻度を示す。
ｘ２およびｙ２はそれぞれ、２００≦ｘの領域に有るピークのうち、粒径が最も小さいピーク（以下、ピーク２ともいう。）の粒径および頻度を示す。
ｙｍｉｎは、ｘ１＜ｘ＜ｘ２の領域内でのｙの最小値を示す。
ｘ３は、ｘ１＜ｘ＜ｘ２の領域内で、ｙ＝ｙｍｉｎであるｘの最小値を示す。
ｘ４は、ｘ１＜ｘ＜ｘ２の領域内で、ｙ＝ｙｍｉｎであるｘの最大値を示す。
つまり、座標Ｐ１は、ピーク１のピークトップの位置を示し、座標Ｐ２は、ピーク２のピークトップの位置を示す。また、ｙｍｉｎは、ピーク１とピーク２との間の谷の底の部分で、座標Ｖ１は、谷の底の最もピーク１に近い位置、座標Ｖ２は、谷の底の最もピーク２に近い位置を示す。
【００２０】
前記粒度分布曲線上、Ｐ１からＰ２までの間で、ｙ＝ｙｍｉｎとなるｘの値が１つでない場合、Ｖ１とＶ２とは異なる。Ｖ１とＶ２が異なる場合（ｘ３≠ｘ４である場合）、座標Ｐ１、Ｖ１、Ｖ２、Ｐ２、Ｐ１を順次結ぶ直線で囲まれた領域は四角形となる。
前記粒度分布曲線上、Ｐ１からＰ２までの間で、ｙ＝ｙｍｉｎとなるｘの値が１つである場合、Ｖ１とＶ２とは同じである。Ｖ１とＶ２が同じである場合（ｘ３＝ｘ４である場合）、座標Ｐ１、Ｖ１、Ｖ２、Ｐ２、Ｐ１を順次結ぶ直線で囲まれた領域は三角形となる。
【００２１】
前記領域の面積が大きいほど、粒径２００ｎｍ前後で最も近接する２つのピーク１、２が明確に分かれていることを示す。該面積が３００以上であれば、被験試料中のＣＲＰを低濃度域から高濃度域まで安定して測定できる。該面積が３００以上であることで、被験試料中のＣＲＰを低濃度域から高濃度域まで安定して測定できる理由としては、明確ではないが、Ｐ１付近の粒径を持った粒子とＰ２付近の粒径持った粒子の複合凝集塊が発生することによりＣＲＰの低濃度域でも効率良く大きい凝集塊が発生することと、Ｐ１付近の粒径を持った粒子単独の凝集塊の成長は遅いため、高濃度域でも濃度に比例した凝集塊が作られることとが相乗的に作用していると考えられる。
一方、該面積が２０００以下であると、ＣＲＰの低濃度域において、表面積の広さから抗原抗体反応しやすく凝集しやすいＰ１付近の粒径を持った粒子と、粒径の大きさから凝集した時に吸光度を上昇させやすいＰ２付近の粒径を持った粒子との複合凝集が起こりやすく、低濃度域で効率よく大きい凝集塊が発生し、吸光度の変化が観察しやすい。
【００２２】
座標Ｐ１、Ｖ１、Ｖ２、Ｐ２、Ｐ１を順次結ぶ直線で囲まれた領域の面積は、四角形、三角形のいずれの場合でも、各座標の値から下記の式により求めることができる。
領域の面積＝
｛（ｘ２−ｘ１）×（ｙ１およびｙ２のうち大きい方の値−ｙｍｉｎ）｝
−｛（ｘ３−ｘ１）×（ｙ１−ｙｍｉｎ）／２｝
−｛（ｘ２−ｘ４）×（ｙ２−ｙｍｉｎ）／２｝
−｛（ｘ２−ｘ１）×（｜ｙ１−ｙ２｜）／２｝
【００２３】
図１を用い、具体例を示して、座標Ｐ１、Ｖ１、Ｖ２、Ｐ２、およびそれらの座標を順次結ぶ直線で囲まれた領域の面積について説明する。図１は、後述する［実施例］で製造したＲＡ１、ＲＡ４に含まれるラテックス粒子の粒度分布曲線（横軸：粒径ｘ（ｎｍ）、縦軸：質量換算の頻度ｙ（％））である。
ＲＡ１に含まれるラテックス粒子の粒度分布曲線は、ｘ＜２００の領域に１つのピーク、２００≦ｘの領域に１つのピークを有する。Ｐ１は（１００、１４．５７）であり、Ｐ２は（３００、５．７７）である。Ｐ１とＰ２との間での頻度ｙの最小値ｙｍｉｎは０であり、Ｖ１は（１２６．５１９、０）、Ｖ２は（１９３．６０４、０）である。したがって、Ｐ１、Ｖ１、Ｖ２、Ｐ２、Ｐ１を順次結ぶ直線で囲まれた四角形の領域の面積は、約１４２０となる。
ＲＡ４に含まれるラテックス粒子の粒度分布曲線は、ｘ＜２００の領域に１つのピーク、２００≦ｘの領域に１つのピークを有する。Ｐ１は（１８０、１４．６９）であり、粒径２００ｎｍ以上の領域のピークのピークトップのＰ２は（３００、３．９３）である。Ｐ１とＰ２との間での頻度ｙの最小値ｙｍｉｎは０．４４であり、Ｖ１とＶ２とは一致し、いずれも（２２９．４１２、０．４４）である。したがって、Ｐ１、Ｖ１、Ｖ２、Ｐ２、Ｐ１を順次結ぶ直線で囲まれた領域は三角形であり、その面積は約４８９となる。
【００２４】
前記粒度分布曲線において、ピーク１の粒径ｘ１と、ピーク２の粒径ｘ２との比は、ｘ１：ｘ２＝１：１．３〜１：３．５が好ましく、１：１．５〜１：３．５がより好ましい。
ｘ２がｘ１の１．３倍以上であると、前記領域の面積が３００以上となりやすい傾向がある。ｘ２がｘ１の３．５倍以下であると、大きな凝集塊が効率よく発生し、ＣＲＰの低濃度域での吸光度の変化が観察しやすくなる。
【００２５】
前記粒度分布曲線において、ピーク１の頻度ｙ１と、ピーク２の頻度ｙ２との比は、ｙ１：ｙ２＝８：２〜５：５が好ましい。
ｙ２がｙ１と同じかそれよりも小さいと、ＣＲＰの高濃度域での吸光度の変化が観察されやすくなる。ｙ１がｙ２の４倍以下であるとＣＲＰの低濃度域での吸光度の変化が観察されやすくなる。
【００２６】
前記ラテックス粒子は、通常、水等に分散させて粒子分散液として用いられる。
前記ラテックス粒子またはこれが分散した粒子分散液の調製方法は特に限定されないが、たとえば、測定試薬調製用の粒子分散液として、平均粒径が異なる複数の粒子分散液を用意し、それらを混合することにより、前記ラテックス粒子が分散した粒子分散液を調製できる。この後、必要に応じて乾燥、希釈等を行ってもよい。
このとき混合する複数の粒子分散液のうち、少なくとも１つは、平均粒径が２００ｎｍ未満の粒子分散液であり、少なくとも１つは、平均粒径が２００ｎｍ以上の粒子分散液である。平均粒径は、上述したように、粒子分散液を動的光散乱法により分析することにより求められる。測定試薬調製用の粒子分散液においては、前記と同様にして測定される粒度分布曲線が有するピークは１つであることが好ましい。
前述した、分子内にホスホリルコリン基と重合性二重結合とを有する単量体等を懸濁重合または乳化重合して得られた反応液を、測定試薬調製用の粒子分散液として用いることができる。該懸濁重合または乳化重合を、重合条件を変えて複数回行うことで、平均粒径がそれぞれ異なる複数の粒子分散液を得ることができる。
測定試薬調製用の粒子分散液の平均粒径、粒度分布等を調整することにより、座標Ｐ１、Ｖ１、Ｖ２、Ｐ２、Ｐ１を順次結ぶ直線で囲まれた領域の面積を調整できる。たとえば、２つの粒子分散液を混合する場合、それぞれの平均粒径の差が大きいほど、前記領域の面積が大きくなる。また、平均粒径の差が同じでも、それぞれの粒子分散液の粒度分布が狭いほど、前記領域の面積が大きくなる。
【００２７】
本発明の測定試薬は、前記ラテックス粒子が、ホスホリルコリン基を表面に有する粒子である場合、分子構造内に、置換基が結合していてもよいステロイド骨格の炭化水素基と、下記一般式（２）で表される基とを有する界面活性剤（以下、界面活性剤（Ａ）という。）をさらに含むことが好ましい。
【００２８】
【化３】
2014081205.tif 000005
［式中、Ｘは、水酸基が結合していてもよい炭素数３〜５の直鎖アルキレン基を示す。］
【００２９】
上述したように、ラテックス粒子としてはホスホリルコリン基を表面に有する粒子が好ましい。しかし、本発明者らの検討によれば、ラテックス凝集比濁法によるＣＲＰ測定に、ホスホリルコリン基を表面に有する粒子を適用する場合、抗ＣＲＰ抗体やそのフラグメントを表面に担持させた粒子を用いる場合に比べて、ＣＲＰの測定効率が低くなる。そこで、さらに検討を重ねた結果、ラテックス粒子として、ホスホリルコリン基を表面に有する粒子を用いる場合、界面活性剤（Ａ）と組み合わせることで、抗ＣＲＰ抗体やそのフラグメントを表面に担持させた粒子を用いなくても、ラテックス凝集比濁法によるＣＲＰの測定を、低濃度域から高濃度域まで安定して効率よく行うことができることを見出した。
なお、界面活性剤（Ａ）を、ラテックス凝集比濁法によるＣＲＰ測定に汎用されている抗体やそのフラグメントを表面に固定した粒子と組み合わせても、上記の効果は得られない。
【００３０】
界面活性剤（Ａ）は、分子構造内に、置換基が結合していてもよいステロイド骨格の炭化水素基と、前記一般式（２）で表される基とを有する化合物である。
【００３１】
界面活性剤（Ａ）が有する、ステロイド骨格の炭化水素基におけるステロイド骨格の炭化水素基は、下記式（３）で表される。
【００３２】
【化４】
2014081205.tif 000006
【００３３】
前記ステロイド骨格の炭化水素基に結合していてもよい置換基としては、たとえば、水酸基、アルキル基等が挙げられ、水酸基が好ましい。
【００３４】
界面活性剤（Ａ）としては、分子構造の一端に前記置換基が結合していてもよいステロイド骨格の炭化水素基を有し、他端に前記一般式（２）で表される基を有する化合物が好ましく、下記一般式（４）に表せられる化合物が特に好ましい。
【００３５】
【化５】
2014081205.tif 000007
［式中、Ｒ１は、炭素数１〜９の直鎖状または分岐鎖状のアルキレン基を示す。Ｒ２〜Ｒ３はそれぞれ独立に、下記一般式（Ｉ）で表される基、水素原子、または炭素数１〜９のアルキル基を示し、Ｒ２およびＲ３のいずれか一方または両方は、前記一般式（Ｉ）で表される基である。］
【００３６】
【化６】
2014081205.tif 000008
［式中、Ｘは前記と同じであり、Ｒ４は、炭素数１〜９の直鎖状または分岐鎖状のアルキレン基を示す。］
【００３７】
式（４）で表される化合物の代表的なものとしては、下記式（４−１）〜（４−５）で表される化合物等が挙げられる。
【００３８】
【化７】
2014081205.tif 000009
【００３９】
式（４）で表される化合物は、市販のものを用いることができる。たとえば前記式（４−１）で表される化合物（３−［（３−コラミドプロピル）ジメチルアンモニオ］プロパンスルホネート）の市販品として、株式会社同仁化学研究所製のＣＨＡＰＳ（製品名）が挙げられる。前記式（４−２）で表される化合物（３−［（３−コラミドプロピル）ジメチルアンモニオ］−２−ヒドロキシプロパンスルホネート）の市販品として、株式会社同仁化学研究所製のＣＨＡＰＳＯ（製品名）が挙げられる。
【００４０】
本発明の測定試薬には、必要に応じて、本発明の効果を損なわない範囲で、ラテックス粒子および界面活性剤（Ａ）以外の他の成分をさらに含有させてもよい。該他の成分としては、既知の添加剤を用いることができる。
たとえば、反応性、安定性等を高めるために、界面活性剤、アジ化ナトリウム等の防腐剤、スクロース、ウシ血清アルブミン等の安定剤、酢酸ナトリウム等の緩衝剤などを含有させることができる。
ラテックス粒子として、ホスホリルコリン基を表面に有する粒子を用いる場合、ホスホリルコリン基はＣａ２＋の存在下でＣＲＰと特異的に結合しやすいため、塩化カルシウム等のカルシウムイオン源をさらに含有させることが好ましい。
【００４１】
本発明の測定試薬が、前記ラテックス粒子以外の他の成分を含む場合、本発明の測定試薬は、全成分を１剤中に含む１剤型の測定試薬であってもよく、ラテックス粒子を含む剤のほかに、他の成分の一部または全部を含む１以上の剤をさらに備える多剤型の測定試薬であってもよい。
他の成分として界面活性剤を含む場合は、界面活性剤がラテックス粒子表面へ吸着して保存安定性が損なわれることがあることから、ラテックス粒子と界面活性剤とは異なる剤に配合することが好ましい。
【００４２】
本発明の測定試薬は、前記ラテックス粒子が分散した粒子分散液である第一液と、界面活性剤を含む第二液とを備えるキットであることが好ましい。かかるキットは、そのままラテックス凝集比濁法によるＣＲＰ測定に用いることができる。たとえば、被験試料に、第二液、第一液を順次または同時に添加、混合したものを、そのまま吸光度の測定に供することができる。
該キットにおいて、第一液は、界面活性剤を含まないことが好ましい。第二液は、前記ラテックス粒子を含まないことが好ましい。
【００４３】
第一液におけるラテックス粒子についての説明は前記と同様である。
該ラテックス粒子としては、ホスホリルコリン基を表面に有する粒子であることが好ましい。
第一液中のラテックス粒子の含有量は、第二液と混合した時の濃度が、得られる混合液の総質量に対し、１質量％以下となる量が好ましい。１質量％以下であると、既存の多くの測定機器に対応できる。該含有量の下限は特に限定されず、０質量％超であればよい。
第一液は、本発明の効果を損なわない範囲で、反応性、安定性等を高めるために、アジ化ナトリウム等の防腐剤、スクロース等の安定剤、酢酸ナトリウム等の緩衝剤を含有してもよい。
【００４４】
第二液における界面活性剤としては前記と同様のものが利用できる。
第一液に含まれるラテックス粒子が、ホスホリルコリン基を表面に有する粒子である場合、界面活性剤は界面活性剤（Ａ）であることが好ましい。
第二液における界面活性剤（Ａ）の含有量は、第二液の総質量に対し１０質量％以下が好ましい。１０質量％を超えると、溶解しきらない可能性が有る。該含有量の下限は特に限定されず、０質量％超であればよい。
第二液は、本発明の効果を損なわない範囲で、反応性、安定性等を高めるために、アジ化ナトリウム等の防腐剤、ウシ血清アルブミン等の安定剤、酢酸ナトリウム等の緩衝剤を含有してもよい。
ラテックス粒子が、ＣＲＰ反応性基としてホスホリルコリン基を有する粒子である場合、第二液が、塩化カルシウム等のカルシウム源を含有することが好ましい。カルシウム源を第一液ではなく第二液に含有させることで、保存安定性が向上する。
第二液は、各成分を水等に溶解または分散させることにより調製できる。
【００４５】
＜測定方法＞
本発明の測定方法では、前記本発明の測定試薬を用いて、ラテックス凝集比濁法により、被験試料中のＣＲＰ濃度を測定する。
被験試料としては、従来、ラテックス凝集比濁法によるＣＲＰ測定対象となっている任意の被験試料を用いることができ、たとえばヒト血清検体等が挙げられる。
被験試料中のＣＲＰ濃度の測定は、通常のラテックス凝集比濁法と同様の手順で実施できる。
たとえば、被験試料と測定試薬とを混合して反応液を調製し、該反応液の吸光度を測定する方法が挙げられる。
該反応液をラテックス粒子表面のＣＲＰ反応性基とＣＲＰとが特異的に反応する条件下に放置すると、被験試料にＣＲＰが含まれている場合は、反応液中でラテックス粒子の凝集が生じて反応液の濁度が高まり、吸光度が大きくなる。被験試料中のＣＲＰ濃度が高いほど、吸光度の変化量が大きい。あらかじめＣＲＰ濃度既知の標準試料を用いて検量線を作成しておき、被験試料と測定試薬との混合直後と、混合後、ラテックス粒子表面のＣＲＰ反応性基とＣＲＰとが特異的に反応する条件下で任意の時間放置した後の反応液の吸光度を測定することで、それらの吸光度の変化量から、被験試料中のＣＲＰ濃度を定量することができる。
【００４６】
測定試薬の使用量は、吸光度測定時の反応液中の所望のラテックス粒子濃度、界面活性剤（Ａ）濃度等を考慮して設定される。
吸光度測定時の反応液中のラテックス粒子濃度は、反応液の総質量に対し、１．０質量％以下が好ましい。１．０質量％以下であると、多くの測定機器に対応できるほか、凝集による吸光度差が十分に検出できる。該含有量の下限は特に限定されず、０質量％超であればよい。
測定試薬が界面活性剤（Ａ）を含む場合、吸光度測定時の反応液中の界面活性剤（Ａ）濃度は、反応液の総質量に対し、０．１５〜０．４０質量％の範囲内が好ましい。測定時の界面活性剤（Ａ）濃度が０．１５質量％以上であると、界面活性剤（Ａ）を含有することによる効果が充分に得られる。０．４０質量％以下であると、界面活性剤の分散安定作用による凝集阻害が起こらない。
【００４７】
本発明の測定試薬が前記キットである場合、被験試料と本発明の測定試薬との混合は、被験試料に、第二液および第一液を順次または同時に混合することにより実施できる。好ましくは、被験試料と第二液とを混合し、任意の時間静置した後、そこに第一液を添加することにより行うか、または、被験試料と第二液と第一液とを一括混合することにより行う。特に、被験試料と第二液とを混合し、任意の時間静置した後、そこに第一液を添加することが好ましい。あらかじめ被験試料と第二液とをなじませておくことで、被験試料中のＣＲＰが可溶化し、反応性が良好となる。
被験試料と第二液とを混合した後の静置は、１５〜４０℃の条件下で行うことが好ましい。静置時間は、特に限定されないが、通常、１〜１５分間程度である。
【００４８】
被験試料と本発明の測定試薬とを混合した後の放置条件（ラテックス粒子表面のＣＲＰ反応性基とＣＲＰとが特異的に反応する条件）は、ラテックス粒子表面のＣＲＰ反応性基に応じて設定できる。たとえばＣＲＰ反応性基がホスホリルコリン基である場合、放置温度は、１５〜４０℃が好ましく、放置時間は１〜１５分間が好ましい。
混合液の吸光度は、常法により測定でき、たとえば後述する［実施例］に示す条件で測定できる。
これらの一連の操作は、ラテックス凝集比濁法による測定に用いられている汎用の自動測定装置を用いて実施することができる。手動により行ってもよい。
【実施例】
【００４９】
以下、実施例により本発明をさらに詳しく説明する。ただし本発明は、以下の実施例に限定されるものではない。
以下の各例において、粒度分布、平均粒径は以下の手順で測定した。
（粒度分布および平均粒径）
ラテックス粒子の粒度分布と平均粒径は、ラテックス粒子分散液を、濃度１０ｍＭのＮａＣｌ水溶液で、ラテックス粒子の濃度が１質量％となるように希釈し、特濃系粒径アナライザーＦＰＡＲ−１０００（大塚電子株式会社製）にて分析することで求めた。
【００５０】
＜ラテックス（粒子分散液）の製造＞
純水６９．４ｇ、スチレン２０ｇ、２−メタクリロイルオキシエチルホスホリルコリン０．６ｇ、エタノール１０ｇ、ｐ−スチレンスルホン酸ナトリウム０．２ｇを、２００ｍＬセパラブルフラスコに投入し、撹拌下で窒素を液中に流しながら７２℃まで加熱昇温した後、過硫酸カリウム０．０６ｇを添加し、３．５時間重合反応を行った。その後、９３℃まで昇温し、該温度で３時間の熱処理を行ってラテックス１を得た。
得られたラテックス１に含まれるラテックス粒子の平均粒径を前記の手順により測定したところ、１００ｎｍであった。
【００５１】
製造例１で使用した各原料の使用量（ｇ）を表１に示す配合に従って変化させた以外は製造例１と同様にしてラテックス２〜９を得た。
各ラテックス２〜９に含まれるラテックス粒子の平均粒径を前記の手順により測定した。結果を表１に示す。
【００５２】
【表１】
2014081205.tif 000010
【００５３】
＜測定試薬の製造＞
［測定試薬第一液の調製］
前記で得たラテックス１〜９を、表２に示す配合比率（質量比）に従って混合し、さらに、アジ化ナトリウムと、スクロースと、酢酸ナトリウムと、純水とを混合、溶解、希釈して、表３に示す組成（単位：質量％）の測定試薬第一液ＲＡ１〜ＲＡ１５を得た。
ＲＡ１〜ＲＡ１２、ＲＡ１５の調製に用いたラテックスのうち、平均粒径が２００ｎｍ未満の小粒径ラテックスと、平均粒径が２００ｎｍ以上の大粒径ラテックスとの平均粒径比（大粒径ラテックスの平均粒径／小粒径ラテックスの平均粒径）を表２に併記する。
【００５４】
ＲＡ１〜ＲＡ１５の粒度分布を測定した。
図２にＲＡ１〜ＲＡ１５の粒度分布曲線を示す。２種のラテックスを混合したＲＡ１〜ＲＡ１２、ＲＡ１５の粒度分布曲線が有するピークは２つであり、各ピークのピークトップの粒径は、２種のラテックスそれぞれの平均粒径に対応していた。１種のラテックスを単独で使用したＲＡ１３、ＲＡ１４の粒度分布曲線が有するピークは１つであった。
ＲＡ１〜ＲＡ１５の粒度分布曲線が有する２つのピークのうち、粒径ｘの小さい方のピーク（ピーク１）の頻度の最大値ｙ１（％）とこれに対応する粒径ｘ１（ｎｍ）、粒径の大きい方のピーク（ピーク２）の頻度の最大値ｙ２（％）とこれに対応する粒径ｘ２（ｎｍ）、ピーク１とピーク２との間での頻度の最小値ｙｍｉｍと、ｘ１＜ｘ＜ｘ２の領域内でｙ＝ｙｍｉｎであるｘの最小値ｘ３と、ｘ１＜ｘ＜ｘ２の領域内でｙ＝ｙｍｉｎであるｘの最大値ｘ４とを表４に示す。また、それらの値から、座標Ｐ１（ｘ１、ｙ１）、Ｖ１（ｘ３、ｙｍｉｎ）、Ｖ２（ｘ４、ｙｍｉｎ）、Ｐ２（ｘ２、ｙ２）、前記Ｐ１を順次結ぶ直線で囲まれた領域の面積を算出した。結果を表４に示す。
【００５５】
【表２】
2014081205.tif 000011
【００５６】
【表３】
2014081205.tif 000012
【００５７】
【表４】
2014081205.tif 000013
【００５８】
［測定試薬第二液の調製］
界面活性剤として、ＣＨＡＰＳ（製品名、株式会社同仁化学研究所製、３−［（３−コラミドプロピル）ジメチルアンモニオ］プロパンスルホネート）、ＣＨＡＰＳＯ（製品名、株式会社同仁化学研究所製、３−［（３−コラミドプロピル）ジメチルアンモニオ］−２−ヒドロキシプロパンスルホネート）、ラウリルスルホベタイン、コール酸を用いた。
これらの界面活性剤と、塩化カルシウムと、酢酸ナトリウムと、ウシ血清アルブミンと、アジ化ナトリウムと、純水とを混合、溶解して、表５に示す組成（単位：質量％）の測定試薬第二液１−１〜１−１２を得た。
【００５９】
【表５】
2014081205.tif 000014
【００６０】
［ＣＲＰ測定性能の評価］
被験試料用のＣＲＰとして、大腸菌の組み換えタンパク質であるＣ．ＲＥＡＣＴＩＶＥ  ＰＲＯＴＥＩＮ（ロシュ・ダイアグノスティックス株式会社）を用い、ＣＲＰ濃度を３０ｍｇ／ｄＬから生理食塩水を加えて段階的に濃度を半減させた被験試料を調製し測定に用いた。
ＣＲＰ測定は、前記で調製した測定試薬第一液、測定試薬第二液を表６〜８に示す組み合わせで使用し、以下の手順で行った。
【００６１】
（例１〜４、６〜１２、１４、１６〜２７）
２．１μＬの被験試料を、１２０μＬの測定試薬第二液と混合したのち５分間静置し、そののち、１２０μＬの測定試薬第一液を添加し、測定試薬第一液の添加直後の吸光度（０．００時の吸光度）と、測定試薬第一液を添加してから５分経過後の吸光度とを測定した。
吸光度の測定は、自動汎用測定機日立７１７０Ｅ（日立製作所（株）製）を使用し、測定波長５７０ｎｍ、測定温度３７℃で行った。
上記の測定結果から、５分経過後の吸光度の、０．００時の吸光度との差（５分経過後の吸光度−０．００時の吸光度）を算出し、その値を吸光度変化量Ａｂｓとした。結果を表６〜８に示す。
【００６２】
（例５、１３、１５）
２．１μＬの被験試料と、１２０μＬの測定試薬第二液と、１２０μＬの測定試薬第一液とを一度に混合し、混合直後の吸光度（０．００時吸光度）と、混合してから５分経過後の吸光度とを前記と同様に測定した。
上記の測定結果から、５分経過後の吸光度の０．００時時吸光度との差（５分経過後の吸光度−０．００時時吸光度）を算出し、その値を吸光度変化量Ａｂｓとした。結果を表６〜８に示す。
【００６３】
例１〜２７の吸光度変化量Ａｂｓの測定結果を縦軸、被験試料のＣＲＰ濃度（ｍｇ／ｄＬ）を横軸にとったグラフを作成した。該グラフを図３〜４に示す。図３は、測定領域全域（ＣＲＰ濃度が０〜３０ｍｇ／ｄＬ）のグラフ、図４は、低濃度域（ＣＲＰ濃度が０〜０．９４ｍｇ／ｄＬ）のグラフである。
【００６４】
（評価）
上記の吸光度変化量Ａｂｓの測定結果から、下記式により、低濃度域変化率、高濃度域変化率を算出した。
低濃度域変化率＝［ＣＲＰ濃度０．５ｍｇ／ｄＬ時の吸光度変化量Ａｂｓ］−［ＣＲＰ濃度０．０ｍｇ／ｄＬ時の吸光度変化量Ａｂｓ］
高濃度域変化率＝［ＣＲＰ濃度３０．０ｍｇ／ｄＬ時の吸光度変化量Ａｂｓ］−［ＣＲＰ濃度０．０ｍｇ／ｄＬ時の吸光度変化量Ａｂｓ］
【００６５】
低濃度域変化率の値が大きいほど、低濃度領域でのＣＲＰ測定を良好に実施できることを示す。つまり、低濃度域変化率の値が大きいほど、低濃度領域でグラフの立ち上がりがよく、ＣＲＰ濃度のわずかな変化が吸光度変化量Ａｂｓに反映される。低濃度域変化率は、３０以上が好ましく、５０以上がより好ましい。
高濃度域変化率の値が大きいほど、高濃度領域でのＣＲＰ測定を良好に実施できることを示す。高濃度域変化率は、３０００以上が好ましく、４０００以上がより好ましい。
本発明においては、特に、以下の条件１および条件２を満たすことが好ましい。
条件１：低濃度域変化率≧３０
条件２：高濃度域変化率≧３０００
【００６６】
【表６】
2014081205.tif 000015
【００６７】
【表７】
2014081205.tif 000016
【００６８】
【表８】
2014081205.tif 000017
【００６９】
上記結果に示すとおり、
測定試薬第一液として、粒度分布曲線が有するピークが、ｘ＜２００ｎｍの領域に１つのみのＲＡ１３を使用した例２２は、低濃度域変化率が低かった。
測定試薬第一液として、粒度分布曲線が有するピークが、ｘ≧２００ｎｍの領域に１つのみのＲＡ１４を使用した例２３は、高濃度域変化率が低かった。
測定試薬第一液として、粒度分布曲線が、ｘ＜２００ｎｍの領域と、ｘ≧２００ｎｍの領域に１つずつピークを有していても、座標Ｐ１、Ｖ１、Ｖ２、Ｐ２、Ｐ１を順次結ぶ直線で囲まれた領域の面積が３００未満のＲＡ１５を使用した例２７は、低濃度域においても高濃度域においても変化率が低かった。
【００７０】
粒度分布曲線が、ｘ＜２００ｎｍの領域と、ｘ≧２００ｎｍの領域に１つずつピークを有し、座標Ｐ１、Ｖ１、Ｖ２、Ｐ２、Ｐ１を順次結ぶ直線で囲まれた領域の面積が３００以上の測定試薬第一液と、界面活性剤（Ａ）を含む測定試薬第二液とを併用し、測定時の界面活性剤（Ａ）濃度を０．１５〜０．４０質量％とした例１〜１８は、低濃度域変化率、高濃度域変化率ともに高く、条件１、２を満たしていた。
粒度分布曲線が、ｘ＜２００ｎｍの領域と、ｘ≧２００ｎｍの領域に１つずつピークを有し、座標Ｐ１、Ｖ１、Ｖ２、Ｐ２、Ｐ１を順次結ぶ直線で囲まれた領域の面積が３００以上の測定試薬第一液を使用したが、界面活性剤（Ａ）を含まない測定試薬第二液と併用した例１９は、高濃度域変化率が例２２、２３よりも向上し、低濃度域変化率も例２２より改善したが、低濃度域変化率が条件１を満たさなかった。
粒度分布曲線が、ｘ＜２００ｎｍの領域と、ｘ≧２００ｎｍの領域に１つずつピークを有し、座標Ｐ１、Ｖ１、Ｖ２、Ｐ２、Ｐ１を順次結ぶ直線で囲まれた領域の面積が３００以上の測定試薬第一液と、界面活性剤（Ａ）を含む測定試薬第二液とを併用したが、測定時の界面活性剤（Ａ）濃度が０．１質量％の例２０は、高濃度域変化率が例２２、２３よりも向上し、低濃度域変化率も例２２より改善したが、低濃度域変化率が条件１を満たさなかった。
粒度分布曲線が、ｘ＜２００ｎｍの領域と、ｘ≧２００ｎｍの領域に１つずつピークを有し、座標Ｐ１、Ｖ１、Ｖ２、Ｐ２、Ｐ１を順次結ぶ直線で囲まれた領域の面積が３００以上の測定試薬第一液と、界面活性剤（Ａ）を含む測定試薬第二液とを併用したが、測定時の界面活性剤（Ａ）濃度が０．４５質量％の例２１は、高濃度域変化率が例２２、２３よりも向上し、低濃度域変化率も例２２より改善したが、低濃度域変化率が条件１を満たさなかった。
【００７１】
粒度分布曲線が、ｘ＜２００ｎｍの領域と、ｘ≧２００ｎｍの領域に１つずつピークを有し、座標Ｐ１、Ｖ１、Ｖ２、Ｐ２、Ｐ１を順次結ぶ直線で囲まれた領域の面積が３００以上の測定試薬第一液と、測定試薬第二液の界面活性剤としてラウリルスルホベタインとコール酸を用いた例２４は、低濃度域変化率が例２２より改善したが、高濃度域変化率が例２２、２３より低くなった。測定試薬第二液の界面活性剤としてラウリルスルホベタイン、コール酸をそれぞれ単独で用いた例２５、例２６は、低濃度域変化率、高濃度域変化率ともに例２２、２３より低くなった。
これらの結果から、スルホベタイン構造を有してもステロイド骨格を有さないラウリルスルホベタインや、ステロイド骨格を有してもスルホベタイン構造を有さないとコール酸では、低濃度域変化率や高濃度域変化率の改善効果は得られないことが確認できた。
【図１】
2014081205.tif 000019
【図２】
2014081205.tif 000020
【図３】
2014081205.tif 000021
【図４】
2014081205.tif 000022